(57)【要約】【解決手段】後から倒されるもう一方の側壁２には、弾性片２ｅが形成された収納凹部２ｃが形成されているとともに、収納凹部には、箱型に組み立てられた状態において、先に倒される一方の側壁が当接する係止ブロック部材Ｂが収容されるように構成されており、箱型に組み立てられた状態において、先に倒される一方の側壁３に外力が加わった際には、先に倒される一方の側壁が、後から倒されるもう一方の側壁に形成された収納凹部に収容された係止ブロック部材に当接することにより、後から倒されるもう一方の側壁に形成された収納凹部に形成された弾性片に、負荷が加わらないように構成したものである。【効果】後から倒されるもう一方の側壁に形成された収納凹部に形成された弾性片に、負荷が加わらないように構成したので、弾性片の損傷を防止することができる。【選択図】図１０
2010030610.tif 000002
【特許請求の範囲】
【請求項１】
底部と底部にヒンジ連結された一方の相対する側壁と底部にヒンジ連結されたもう一方の相対する側壁とを有し、箱型に組み立てられた状態から、一方の側壁を、底部に重なるように倒し、次いで、もう一方の側壁を、先に倒された一方の側壁に重なるように倒すことにより、折り畳み可能な折り畳みコンテナーにおいて、前記後から倒されるもう一方の側壁には、弾性片が形成された収納凹部が形成されているとともに、前記収納凹部には、箱型に組み立てられた状態において、前記先に倒される一方の側壁が当接する係止ブロック部材が収容されており、箱型に組み立てられた状態において、前記先に倒される一方の側壁に外力が加わった際には、前記先に倒される一方の側壁が、前記後から倒されるもう一方の側壁に形成された収納凹部に収容された係止ブロック部材に当接することにより、前記後から倒されるもう一方の側壁に形成された収納凹部に形成された弾性片には、負荷が加わらないように構成されていることを特徴とする折り畳みコンテナー。
【発明の詳細な説明】
【技術分野】
【０００１】
本発明は、底部を囲むように配設された側壁を、底部に重なるように倒すことにより、箱型に組み立てられた状態から、高さの低いコンパクトな状態に折り畳むことが可能な折り畳みコンテナーに関するものである。
【背景技術】
【０００２】
従来、折り畳まれた状態から先に立てられる側壁の両垂直端に、側壁の板状部に略垂直な係合枠が形成されており、また、側壁の板状部の上部両端角部付近に、コの字状のスリットを穿設することにより、片持ち状の係止弾性片が形成されているとともに、係止弾性片の内壁面側の先端には、係止突部が突設されている側壁と、折り畳まれた状態から後に立てられる側壁には、先に立てられる側壁の係合枠と係止弾性片の係止突部との間に形成される間隙に挿入される板状の被係止部が形成された折り畳みコンテナーが、一例として、特許文献１に開示されている。
【０００３】
箱型に組み立てられた状態においては、折り畳まれた状態から後に立てられる側壁に形成された被係止部が、折り畳まれた状態から先に立てられる側壁の係合枠と係止弾性片の係止突部との間に形成された間隙に挿入されているので、後に立てられた側壁に、外力が加わっても、簡単には、後に立てられた側壁が、内側に倒れないように構成されている。
【０００４】
また、箱型に組み立てられた折り畳みコンテナーを折り畳む際には、折り畳まれた状態から先に立てられた側壁の係合枠に形成された係止弾性片を、特許文献１に記載されているように、指で、外側に弾性変形させて、折り畳まれた状態から後に立てられた側壁に形成された板状の被係止部を、先に立てられた側壁の係合枠と係止弾性片の係止突部との間に形成された間隙から排出し、その後、後に立てられた側壁を、底部方向に倒し、次いで、先に立てられた側壁を、底部方向に倒すことにより、箱型に組み立てられた折り畳みコンテナーを折り畳むことができるように構成されている。
【０００５】
更に、折り畳み作業の際に、折り畳まれた状態から先に立てられた側壁の係合枠に形成された係止弾性片を、指で、外側に弾性変形させる代わりに、係止弾性片を、外側に弾性変形させる操作部材を、折り畳まれた状態から後に立てられる側壁に配設した折り畳みコンテナーが、一例として、特許文献２に開示されている。
【０００６】
【特許文献１】特開２００１−２８７７３７号公報
【特許文献２】特開２００４−５１１９９号公報
【発明の開示】
【発明が解決しようとする課題】
【０００７】
上述した従来の折り畳みコンテナーにおいては、箱型に組み立てられた状態において、後に立てられた側壁に、外力が加わった際には、後に立てられた側壁に形成された板状の被係止部を介して、先に立てられた側壁に形成された係止弾性片の係止突部に負荷がかかり、係止弾性片が湾曲変形することがある。このような外力が、交番的に、繰り返し加えられると、先に立てられた側壁に形成された係止弾性片が損傷するという問題があった。
【０００８】
箱型に組み立てられた折り畳みコンテナーを折り畳む際にも、その都度、係止弾性片が湾曲変形することになり、また、折り畳まれた状態の折り畳みコンテナーを、箱型に組み立てる際にも、その都度、係止弾性片が湾曲変形することになり、従って、更に、係止弾性片に加えられる交番的な外力により、先に立てられた側壁に形成された係止弾性片の耐久性が低下することになる。
【０００９】
本発明は、上述した従来の折り畳みコンテナーが有する課題を解決することにある。
【課題を解決するための手段】
【００１０】
本発明は、上述した目的を達成するために、底部と底部にヒンジ連結された一方の相対する側壁と底部にヒンジ連結されたもう一方の相対する側壁とを有し、箱型に組み立てられた状態から、一方の側壁を、底部に重なるように倒し、次いで、もう一方の側壁を、先に倒された一方の側壁に重なるように倒すことにより、折り畳み可能な折り畳みコンテナーにおいて、前記後から倒されるもう一方の側壁には、弾性片が形成された収納凹部が形成されているとともに、前記収納凹部には、箱型に組み立てられた状態において、前記先に倒される一方の側壁が当接する係止ブロック部材が収容されるように構成されており、箱型に組み立てられた状態において、前記先に倒される一方の側壁に外力が加わった際には、前記先に倒される一方の側壁が、前記後から倒されるもう一方の側壁に形成された収納凹部に収容された係止ブロック部材に当接することにより、前記後から倒されるもう一方の側壁に形成された収納凹部に形成された弾性片に、負荷が加わらないように構成したものである。
【発明の効果】
【００１１】
底部と底部にヒンジ連結された一方の相対する側壁と底部にヒンジ連結されたもう一方の相対する側壁とを有し、箱型に組み立てられた状態から、一方の側壁を、底部に重なるように倒し、次いで、もう一方の側壁を、先に倒された一方の側壁に重なるように倒すことにより、折り畳み可能な折り畳みコンテナーにおいて、前記後から倒されるもう一方の側壁には、弾性片が形成された収納凹部が形成されているとともに、前記収納凹部には、箱型に組み立てられた状態において、前記先に倒される一方の側壁が当接する係止ブロック部材が収容されるように構成されており、箱型に組み立てられた状態において、前記先に倒される一方の側壁に外力が加わった際には、前記先に倒される一方の側壁が、前記後から倒されるもう一方の側壁に形成された収納凹部に収容された係止ブロック部材に当接することにより、前記後から倒されるもう一方の側壁に形成された収納凹部に形成された弾性片に、負荷が加わらないように構成したので、弾性片の損傷を防止することができる。
【実施例】
【００１２】
以下に、本発明の実施例について説明するが、本発明の趣旨を越えない限り何ら、本実施例に限定されるものでない。
【００１３】
先ず最初に、図１及び図２を用いて、折り畳みコンテナーの全体構成について概説する。
【００１４】
本発明の全体構成は、底部１と、底部１にヒンジ連結された相対する長側壁２と、同じく、底部１にヒンジ連結された相対する短側壁３とから構成されており、図１に示されている箱型に組み立てられた状態から、先ず最初に、短側壁３を、底部１に重なるように倒し、次いで、長側壁２を、底部１に重ねられた短側壁３に重なるように倒すことにより、図２に示されているように、折り畳みコンテナーを、高さの低いコンパクトに折り畳むことができるように構成されている。また、図２に示されている状態から、先ず最初に、長側壁２を略垂直に立て、次いで、短側壁３を略垂直に立てることにより、図１に示されているように、折り畳まれていた折り畳みコンテナーを、箱型に組み立てることができるように構成されている。
【００１５】
次に、図３及び図４を用いて、長側壁２について説明する。
【００１６】
長側壁２には、その両垂直端に、長側壁２の板状部２ａの内面２ａ１に略垂直に延在する縦長の長側壁側係合枠２ｂが形成されており、長側壁側係合枠２ｂには、上下方向に所定の間隔を置いて、長側壁２の板状部２ａに略平行な適当数の嵌合孔２ｂ１が形成されている。また、長側壁２の板状部２ａの上端隅部付近には、長側壁側係合枠２ｂに平行な外側垂直リブ部２ｃ１と、該外側垂直リブ部２ｃ１と所定の間隔を置いて位置するとともに、外側垂直リブ部２ｃ１に平行な内側垂直リブ部２ｃ２と、外側垂直リブ部２ｃ１の上部と内側垂直リブ部２ｃ２の上部とを連結する上部水平連結リブ部２ｃ３と、外側垂直リブ部２ｃ１の下部と内側垂直リブ部２ｃ２の下部とを連結する下部水平連結リブ部２ｃ４と、奥壁部２ｃ５とからなる、縦長の収納凹部２ｃが形成されている。
【００１７】
収納凹部２ｃを構成する奥壁部２ｃ５に、上部水平連結リブ部２ｃ３に沿った水平スリット部２ｄ１と、外側垂直リブ部２ｃ１に沿った外側垂直スリット部２ｄ２と、内側垂直リブ部２ｃ２に沿った内側垂直スリット部２ｄ３とからなる、略逆Ｕ字状のスリット２ｄを形成することにより、奥壁部２ｃ５には、下部が根元部で、上部が自由端部の片持ち状の弾性片２ｅが形成されている。なお、２ｅ１は、弾性片２ｅの中央部に、且つ、縦方向に形成された、弾性片２ｅの上端から下部水平連結リブ部２ｃ４まで延在する垂直凸条であり、弾性片２ｅを補強する機能を有している。
【００１８】
収納凹部２ｃを構成する外側垂直リブ部２ｃ１の上部には、長側壁２の厚さ方向に沿って、横長の透孔或いは横長の窪み（以下、横長状ガイド凹部という。）２ｆが形成されており、また、収納凹部２ｃを構成する外側垂直リブ部２ｃ１の下部には、円形状の透孔或いは円形状の窪み（以下、軸嵌合用凹部という。）２ｇが形成されている。
【００１９】
また、収納凹部２ｃを構成する内側垂直リブ部２ｃ２の上部には、外側垂直リブ部２ｃ１の上部に形成された横長状ガイド凹部２ｆに相対するように、横長状ガイド切欠部２ｈが形成されており、また、収納凹部２ｃを構成する内側垂直リブ部２ｃ２の下部には、外側垂直リブ部２ｃ１の下部に形成された軸嵌合用凹部２ｇに相対するように、軸挿入用切欠部２ｉが形成されている。
【００２０】
次に、図５及び図６を用いて、長側壁２に形成された収納凹部２ｃに収容される縦長の係止ブロック部材Ｂについて説明する。
【００２１】
係止ブロック部材Ｂを構成する相対する側板ｂ１の一方の側板ｂ１の外面上部には、長側壁２に形成された収納凹部２ｃを構成する外側垂直リブ部２ｃ１の上部に形成された横長状ガイド凹部２ｆに挿入されるガイド突部ｂ１ａが突設されており、また、上記の一方の側板ｂ１の外面下部には、長側壁２に形成された収納凹部２ｃを構成する外側垂直リブ部２ｃ１の下部に形成された軸嵌合用凹部２ｇに嵌合される枢軸ｂ１ｂが突設されている。
【００２２】
係止ブロック部材Ｂを構成する相対する側板ｂ１のもう一方の側板ｂ１の外面上部には、長側壁２に形成された収納凹部２ｃを構成する内側垂直リブ部２ｃ２の上部に形成された横長状ガイド切欠部２ｈに挿入されるガイド突部ｂ１ａ’が突設されており、また、上記のもう一方の側板ｂ１の外面下部には、長側壁２に形成された収納凹部２ｃを構成する内側垂直リブ部２ｃ２の外面下部に形成された軸挿入用切欠部２ｉに挿入される枢軸ｂ１ｂ’が突設されている。
【００２３】
係止ブロック部材Ｂの前板ｂ２の上部には、ブロック状の係止突部ｂ３が突設されている。なお、本実施例においては、ブロック状の係止突部ｂ３の前面ｂ３ａと下面ｂ３ｂとにより形成される下部角部には、係止突部ｂ３の前面ｂ３ａから、前板ｂ２方向に向かうガイド傾斜面ｂ３ｃが形成されている。
【００２４】
また、係止ブロック部材Ｂを構成する相対する側板ｂ１の中央部には、相対する側板ｂ１の内面を連結する水平連結リブｂ５が形成されており、水平連結リブｂ５には、後述するように、係止ブロック部材Ｂが、長側壁２に形成された収納凹部２ｃへ取り付けられた際に、弾性片２ｅに形成された垂直凸条２ｅ１が当接、或いは、接近して位置するように構成されている。更に、係止ブロック部材Ｂを構成する底板ｂ６の中央部には、弾性片２ｅに形成された垂直凸条２ｅ１が挿入可能な切欠き凹部ｂ６ａが形成されている。
【００２５】
次に、図７〜図９を用いて、係止ブロック部材Ｂの長側壁２に形成された収納凹部２ｃへの収容及び長側壁２への取り付けについて説明する。
【００２６】
先ず最初に、図７に示されているように、係止ブロック部材Ｂの係止突部ｂ３が形成されている前板ｂ２と相対する裏面側が、長側壁２に形成された収納凹部２ｃを構成する奥壁部２ｃ５に形成された片持ち状の弾性片２ｅと対向するように、係止ブロック部材Ｂを、長側壁２に形成された収納凹部２ｃの開口部に配置する。
【００２７】
次いで、係止ブロック部材Ｂを、長側壁２に形成された収納凹部２ｃに、係止ブロック部材Ｂの裏面側から挿入して、係止ブロック部材Ｂの相対する側板ｂ１の一方の側板ｂ１の上部に突設されたガイド突部ｂ１ａ’を、長側壁２に形成された収納凹部２ｃを構成する外側垂直リブ部２ｃ１の上部に形成された横長状ガイド凹部２ｆに挿入するとともに、係止ブロック部材Ｂの相対する側板ｂ１の一方の側板ｂ１の下部に突設された枢軸ｂ１ｂ’を、長側壁２に形成された収納凹部２ｃを構成する外側垂直リブ部２ｃ１の下部に形成された軸嵌合用凹部２ｇに嵌合する。同様に、係止ブロック部材Ｂを構成する相対する側板ｂ１のもう一方の側板ｂ１の上部に突設されたガイド突部ｂ１ａを、長側壁２に形成された収納凹部２ｃを構成する内側垂直リブ部２ｃ２の上部に形成された横長状ガイド切欠部２ｈに挿入するとともに、係止ブロック部材Ｂを構成する相対する側板ｂ１のもう一方の側板ｂ１の下部に突設された枢軸ｂ１ｂを、長側壁２に形成された収納凹部２ｃを構成する内側垂直リブ部２ｃ２の下部に形成された軸挿入用切欠部２ｉに挿入する。このようにして、係止ブロック部材Ｂが、長側壁２に形成された収納凹部２ｃへ取り付けられることになる。
【００２８】
上述したように、係止ブロック部材Ｂが、長側壁２に形成された収納凹部２ｃに収容され、長側壁２に取り付けられた際には、係止ブロック部材Ｂの相対する側板ｂ１が、長側壁２の奥壁部２ｃ５に形成された弾性片２ｅに当接、或いは、接近して位置するように構成されているとともに、係止ブロック部材Ｂを構成する相対する側板ｂ１を連結する水平連結リブｂ５が、長側壁２の奥壁部２ｃ５に形成された弾性片２ｅの垂直凸条２ｅ１に当接、或いは、接近して位置するように構成されており、更に、係止ブロック部材Ｂを構成する底板ｂ６の中央部に形成された切欠き凹部ｂ６ａに、弾性片２ｅに形成された垂直凸条２ｅ１が挿入されるように構成されている。
【００２９】
また、係止ブロック部材Ｂが、長側壁２に形成された収納凹部２ｃに収容され、長側壁２に取り付けられた際には、係止ブロック部材Ｂのブロック状の係止突部ｂ３が、長側壁２の板状部２ａの内面２ａ１から内側に突出するように構成されている。
【００３０】
更に、長側壁２に形成された収納凹部２ｃを構成する外側垂直リブ部２ｃ１の下部に形成された軸嵌合用凹部２ｇに嵌合された、係止ブロック部材Ｂの相対する側板ｂ１のもう一方の側板ｂ１の下部に突設された枢軸ｂ１ｂ’、及び、長側壁２に形成された収納凹部２ｃを構成する内側垂直リブ部２ｃ２の下部に形成された軸挿入用切欠部２ｉに挿入された、係止ブロック部材Ｂの相対する側板ｂ１の一方の側板ｂ１の下部に突設された枢軸ｂ１ｂを中心に、係止ブロック部材Ｂを、外側に回動させた際には、係止ブロック部材Ｂの相対する側板ｂ１の一方の側板ｂ１の上部に突設されたガイド突部ｂ１ａが、長側壁２に形成された収納凹部２ｃを構成する内側垂直リブ部２ｃ２の上部に形成された横長状ガイド切欠部２ｈに案内されるとともに、係止ブロック部材Ｂを構成する相対する側板ｂ１のもう一方の側板ｂ１の上部に突設されたガイド突部ｂ１ａ’が、長側壁２に形成された収納凹部２ｃを構成する外側垂直リブ部２ｃ１の上部に形成された横長状ガイド凹部２ｆに案内されながら、長側壁２の奥壁部２ｃ５に形成された弾性片２ｅに当接、或いは、接近して位置する係止ブロック部材Ｂが、長側壁２の奥壁部２ｃ５に形成された弾性片２ｅの弾勢力に抗して、外側に回動し、係止ブロック部材Ｂの係止突部ｂ３が、長側壁２の板状部２ａの内面２ａ１から引っ込むように構成されている。
【００３１】
図１０に示されているように、短側壁３の両垂直端付近には、短側壁３に沿って、縦長な短側壁側係合枠３ａが延設されており、短側壁側係合枠３ａの外壁面（折り畳みコンテナーを箱型に組み立てた際に、長側壁２の長側壁側係合枠２ｂと対向する面）には、折り畳みコンテナーが箱型に組み立てられた際に、長側壁２の長側壁側係合枠２ｂに穿設された嵌合孔２ｂ１に挿入される嵌合突部３ｂが突設されている。また、短側壁側係合枠３ａの外側角部には、短側壁側係合枠３ａの外壁面から、短側壁側係合枠３ａの先端方向に向かって延在する傾斜面３ｃが形成されている。
【００３２】
折り畳みコンテナーが、箱型に組み立てられた際には、図１０に示されているように、短側壁３に形成された短側壁側係合枠３ａが、長側壁２の収納凹部２ｃに収容された係止ブロック部材Ｂの上述したもう一方の側板ｂ１と長側壁２の長側壁側係合枠２ｂとの間に形成された間隙に挿入されるように構成されている。従って、折り畳みコンテナーが、箱型に組み立てられた状態において、短側壁３に、外側から外力が加わった際には、短側壁３の短側壁側係合枠３ａが、長側壁２の収納凹部２ｃに収納された係止ブロック部材Ｂの係止突部ｂ３に当接し、短側壁３の底部１方向への回動が阻止されることになる。
【００３３】
上述したように、箱型に組み立てられた折り畳みコンテナーの短側壁３に外力が加わった際には、短側壁３の短側壁側係合枠３ａが、長側壁２に形成された収納凹部２ｃに収容された係止ブロック部材Ｂの係止突部ｂ３に当接することになるが、この際には、係止ブロック部材Ｂの上述した一方の側板ｂ１が、長側壁２に形成された収納凹部２ｃを構成する内側垂直リブ部２ｃ２に当接することになり、従って、短側壁３の外力が加わった際には、長側壁２の奥壁部２ｃ５に形成された弾性片２ｅには、何ら、短側壁３の外力が加わることがないので、損傷しやすい弾性片２ｅが損傷するようなことを防止することができる。
【００３４】
折り畳まれた状態の折り畳みコンテナーを箱型に組み立てるには、先ず最初に、略水平状態の長側壁２を、略垂直に立て、次いで、略水平状態の短側壁３を、垂直方向に回動させることになるが、短側壁３の垂直方向への回動途中において、短側壁３に形成された短側壁側係合枠３ａの先端角部に形成された傾斜面３ｃが、長側壁２の収納凹部２ｃに収容されている係止ブロック部材Ｂの係止突部ｂ３の内側垂直リブ部２ｃ２側の角部ｂ’に当接することになる。この状態から、更に、短側壁３を、垂直方向へ回動させると、短側壁３に形成された短側壁側係合枠３ａの傾斜面３ｃが、係止ブロック部材Ｂを、収納凹部２ｃを構成する奥壁部２ｃ５に形成された片持ち状の弾性片２ｅの弾勢力に抗して、長側壁２に形成された収納凹部２ｃを構成する外側垂直リブ部２ｃ１の下部に形成された軸嵌合用凹部２ｇ及び内側垂直リブ部２ｃ２の下部に形成された軸挿入用切欠部２ｉを中心に、外側に回動させることになる。この、係止ブロック部材Ｂの外側方向への回動過程において、長側壁２の長側壁側係合枠２ｂに形成された嵌合孔２ｂ１に、短側壁３の短側壁側係合枠３ａに形成された嵌合突部３ｂが挿入されるように構成されている。また、係止ブロック部材Ｂの係止突部ｂ３が、長側壁２に形成されている収納凹部２ｃ内に収容された時点においては、図１１に示されているように、短側壁３に形成された短側壁側係合枠３ａの傾斜面３ｃが、係止ブロック部材Ｂの係止突部ｂ３から外れることになる。このように、短側壁３に形成された短側壁側係合枠３ａの傾斜面３ｃが、係止ブロック部材Ｂの係止突部ｂ３から外れると、係止ブロック部材Ｂが、長側壁２に形成された収納凹部２ｃの奥壁部２ｃ５に形成された弾性片２ｅの弾勢復元力により、内側方向に回動し、図１０に示されているように、係止ブロック部材Ｂの係止突部ｂ３が、長側壁２の板状部２ａの内面２ａ１から突出した元の略垂直状態に戻ることになる。このように、係止ブロック部材Ｂの係止突部ｂ３が、長側壁２の板状部２ａの内面２ａ１から突出した元の略垂直状態に戻ると、短側壁３に形成された短側壁側係合枠３ａが、図１０に示されているように、長側壁２の収納凹部２ｃ内に収容された係止ブロック部材Ｂと長側壁２の長側壁側係合枠２ｂとの間に形成された間隙に挿入されることになる。従って、短側壁３に、外側から外力が加わった際には、短側壁３の短側壁側係合枠３ａが、長側壁２に形成された収納凹部２ｃに収容された係止ブロック部材Ｂの側板ｂ１に当接し、短側壁３が、底部１方向に倒れるようなことが防止されることになる。
【００３５】
上述した係止ブロック部材Ｂの外側方向への回動過程及び係止ブロック部材Ｂの内側方向への回動過程においては、長側壁２に形成された収納凹部２ｃを構成する外側垂直リブ部２ｃ１の下部に形成された軸嵌合用凹部２ｇに嵌合された、係止ブロック部材Ｂの相対する側板ｂ１のもう一方の側板ｂ１の下部に突設された枢軸ｂ１ｂ’、及び、長側壁２に形成された収納凹部２ｃを構成する内側垂直リブ部２ｃ２の下部に形成された軸挿入用切欠部２ｉに挿入された、係止ブロック部材Ｂの相対する側板ｂ１の一方の側板ｂ１の下部に突設された枢軸ｂ１ｂを中心に、係止ブロック部材Ｂが回動するとともに、係止ブロック部材Ｂの相対する側板ｂ１の一方の側板ｂ１の上部に突設されたガイド突部ｂ１ａが、長側壁２に形成された収納凹部２ｃを構成する内側垂直リブ部２ｃ２の上部に形成された横長状ガイド切欠部２ｈに案内されるとともに、係止ブロック部材Ｂを構成する相対する側板ｂ１のもう一方の側板ｂ１の上部に突設されたガイド突部ｂ１ａ’が、長側壁２に形成された収納凹部２ｃを構成する外側垂直リブ部２ｃ１の上部に形成された横長状ガイド凹部２ｆに案内されることになり、従って、係止ブロック部材Ｂの外側方向或いは内側方向への回動を、円滑に、且つ、確実に行うことができる。
【００３６】
上述した実施例においては、箱型に組み立てられた折り畳みコンテナーを、折り畳む際には、長側壁２の収納凹部２ｃを構成する奥壁部２ｃ５に形成された弾性片２ｅに当接、或いは、接近して位置する係止ブロック部材Ｂを、作業者が、指で、長側壁２の奥壁部２ｃ５に形成された弾性片２ｅの弾勢力に抗して、外側に回動させ、係止ブロック部材Ｂの係止突部ｂ３を、長側壁２の板状部２ａの内面２ａ１から引っ込ませて、長側壁２と短側壁３とのロック状態を解除するように構成した例が示されているが、このような、係止ブロック部材Ｂの作業者の指による外側への回動を、短側壁３に配設された種々の公知のロック解除部材の操作により行うことができる。このように、作業者が、係止ブロック部材Ｂを、指で、長側壁２の奥壁部２ｃ５に形成された弾性片２ｅの弾勢力に抗して、外側に回動させる場合には、係止ブロック部材Ｂにガイド傾斜面ｂ３ｃを形成する必要はなく、係止ブロック部材Ｂを、単なる、角柱状に形成することができる。
【００３７】
例えば、特開２００７−２２５６１号公報に開示されているように、長側壁と短側壁とのロック解除の際に、ロック解除部材の先端部が、下方から上方に回動するように構成されている場合には、上述したように、係止ブロック部材Ｂの係止突部ｂ３の下部角部にガイド傾斜面ｂ３ｃを形成し、ロック解除部材の先端部を、ガイド傾斜面ｂ３ｃに沿って上方に回動させることにより、係止ブロック部材Ｂの係止突部ｂ３を、長側壁２の内面から引っ込ませることになる。
【００３８】
また、例えば、特開２００３−４０２６３号公報に開示されているように、長側壁２と短側壁とのロック解除の際に、ロック解除部材の先端部が、下方から上方に移動する場合には、上述したように、係止ブロック部材Ｂの係止突部ｂ３の上部角部にガイド傾斜面を形成し、ロック解除部材の先端部を、ガイド傾斜面に沿って下動させることにより、係止ブロック部材Ｂの係止突部ｂ３を、長側壁２の内面から引っ込ませることになる。
【００３９】
更に、例えば、上述した特許文献２に開示されているように、長側壁２と短側壁とのロック解除の際に、ロック解除部材の先端部が、水平方向に移動する場合には、係止ブロック部材Ｂの係止突部ｂ３に、上述したようなガイド傾斜面を形成する必要はなく、係止突部ｂ３を柱状に形成するだけでよいことになる。
【００４０】
上述したように、箱型に組み立てられた折り畳みコンテナーの短側壁３に外力が加わった際には、短側壁３の短側壁側係合枠３ａが、長側壁２に形成された収納凹部２ｃに収容された係止ブロック部材Ｂのもう一方の側板ｂ１に当接するように構成することにより、長側壁２の奥壁部２ｃ５に形成された弾性片２ｅに、負荷が加わらないように構成したので、弾性片２ｅの損傷を防止することができる。
【００４１】
更にまた、縦長の係止ブロック部材Ｂを、長側壁２に縦長に形成された収納凹部２ｃに収容した例が示されているが、長側壁２に形成された収納凹部２ｃを横長に形成し、横長に形成された収納凹部２ｃに、横長の係止ブロック部材を収容することもできる。
【図面の簡単な説明】
【００４２】
【図１】図１は、本発明の折り畳みコンテナーが箱型に組み立てられた状態の斜視図である。
【図２】図２は、本発明の折り畳みコンテナーの折り畳まれた状態の斜視図である。
【図３】図３は、本発明の折り畳みコンテナーを構成する長側壁の要部拡大斜視図である。
【図４】図４は、同じく、本発明の折り畳みコンテナーを構成する長側壁の要部拡大斜視図である。
【図５】図５は、本発明の折り畳みコンテナーを構成する係止ブロック部材の斜視図である。
【図６】図６は、同じく、本発明の折り畳みコンテナーを構成する係止ブロック部材の斜視図である。
【図７】図７は、本発明の折り畳みコンテナーを構成する長側壁の要部と係止ブロック部材の分解斜視図である。
【図８】図８は、本発明の折り畳みコンテナーを構成する長側壁に、係止ブロック部材が取り付けられた状態の要部拡大斜視図である。
【図９】図９は、本発明の折り畳みコンテナーを構成する長側壁に、係止ブロック部材が取り付けられた状態の一部水平断面を含む要部拡大斜視図である。
【図１０】図１０は、本発明の折り畳みコンテナーが、箱型に組み立てられた状態の一部水平断面を含む要部拡大斜視図である。
【図１１】図１１は、同じく、本発明の折り畳みコンテナーが、箱型に組み立てられた状態の一部水平断面を含む要部拡大斜視図である。
【符号の説明】
【００４３】
Ｂ・・・・・・・・・・・・係止ブロック部材
ｂ３・・・・・・・・・・・係止突部
１・・・・・・・・・・・・底部
２・・・・・・・・・・・・長側壁
２ｃ・・・・・・・・・・・収納凹部
２ｅ・・・・・・・・・・・弾性片
３・・・・・・・・・・・・短側壁
【図１】
2010030610.tif 000003
【図２】
2010030610.tif 000004
【図３】
2010030610.tif 000005
【図４】
2010030610.tif 000006
【図５】
2010030610.tif 000007
【図６】
2010030610.tif 000008
【図７】
2010030610.tif 000009
【図８】
2010030610.tif 000010
【図９】
2010030610.tif 000011
【図１０】
2010030610.tif 000012
【図１１】
2010030610.tif 000013